(57)【要約】【課題】ＣＡが行われている場合に、無線基地局ｅＮＢと移動局ＵＥとの間で管理するＰＤＣＣＨ及びＣＣに係る設定情報を一致させる。【解決手段】本発明に係る移動通信方法は、無線基地局ｅＮＢが、移動局ＵＥに対して、複数のＣＣ及びＰＤＣＣＨに係る設定情報を含む「ＲＲＣ  Ｃｏｎｎｅｃｔｉｏｎ  Ｒｅｃｏｎｆｉｇｕｒａｔｉｏｎ」を送信する工程Ａと、移動局ＵＥが、受信した「ＲＲＣ  Ｃｏｎｎｅｃｔｉｏｎ  Ｒｅｃｏｎｆｉｇｕｒａｔｉｏｎ」に応じて、衝突型チャネルを用いて、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する工程Ｂとを有する。【選択図】図５
2011166710.tif 000002
【特許請求の範囲】
【請求項１】
移動局が、無線基地局との間で、搬送波周波数が異なる複数のキャリアを用いた通信を行う移動通信方法であって、
前記無線基地局が、前記移動局に対して、前記複数のキャリア及び物理下りリンク制御チャネルに係る設定情報を含む再設定信号を送信する工程Ａと、
前記移動局が、受信した前記再設定信号に応じて、衝突型チャネルを用いて、前記無線基地局に対して、該再設定信号に対する応答信号を送信する工程Ｂとを有することを特徴とする移動通信方法。
【請求項２】
前記工程Ｂにおいて、前記移動局は、前記衝突型チャネルとして、ＲＡＣＨを用いて、前記応答信号を送信することを特徴とする請求項１に記載の移動通信方法。
【請求項３】
前記工程Ｂにおいて、前記移動局は、前記応答信号として、前記無線基地局によって該移動局に対して指定されている個別ＲＡプリアンブルを送信することを特徴とする請求項２に記載の移動通信方法。
【請求項４】
前記工程Ｂにおいて、前記移動局は、前記衝突型チャネルとして、所定のＲＮＴＩ宛てに送信された物理下りリンク制御チャネルで指定された上りリンク無線リソースを用いて、前記応答信号を送信することを特徴とする請求項１に記載の移動通信方法。
【請求項５】
前記工程Ｂにおいて、前記移動局は、前記応答信号に該移動局の識別情報を含めることを特徴とする請求項４に記載の移動通信方法。
【請求項６】
前記移動局の識別情報は、「Ｃ-ＲＮＴＩ  ＭＡＣ  ｃｏｎｔｒｏｌ  ｅｌｅｍｅｎｔ」であることを特徴とする請求項５に記載の移動通信方法。
【請求項７】
前記工程Ｂにおいて、前記移動局は、前記ＲＡＣＨ、又は、所定のＲＮＴＩ宛てに送信された物理下りリンク制御チャネルで指定された上りリンク無線リソースのうち、先に送信機会が得られた方を、前記衝突型チャネルとして用いて、前記応答信号を送信することを特徴とする請求項１に記載の移動通信方法。
【請求項８】
前記設定情報は、前記複数のキャリアのうち前記移動局において監視すべき前記物理下りリンク制御チャネルについて示す情報を含むことを特徴とする請求項１に記載の移動通信方法。
【請求項９】
前記設定情報は、前記複数のキャリアの各々と前記物理下りリンク制御チャネルに設定されるキャリア指示情報とを関連付ける情報を含むことを特徴とする請求項１に記載の移動通信方法。
【請求項１０】
無線基地局との間で、搬送波周波数が異なる複数のキャリアを用いた通信を行うことができるように構成されている移動局であって、
前記無線基地局から、前記複数のキャリア及び物理下りリンク制御チャネルに係る設定情報を含む再設定信号を受信するように構成されている受信部と、
衝突型チャネルを用いて、前記無線基地局に対して、前記受信部によって受信された前記再設定信号に対する応答信号を送信するように構成されている送信部とを具備することを特徴とする移動局。
【請求項１１】
前記送信部は、前記衝突型チャネルとして、ＲＡＣＨを用いて、前記応答信号を送信するように構成されていることを特徴とする請求項１０に記載の移動局。
【請求項１２】
前記送信部は、前記応答信号として、前記無線基地局によって前記移動局に対して指定されている個別ＲＡプリアンブルを送信するように構成されていることを特徴とする請求項１１に記載の移動局。
【請求項１３】
前記送信部は、前記衝突型チャネルとして、所定のＲＮＴＩ宛てに送信された物理下りリンク制御チャネルで指定された上りリンク無線リソースを用いて、前記応答信号を送信するように構成されていることを特徴とする請求項１０に記載の移動局。
【請求項１４】
前記送信部は、前記応答信号に該移動局の識別情報を含めるように構成されていることを特徴とする請求項１３に記載の移動局。
【請求項１５】
前記移動局の識別情報は、「Ｃ-ＲＮＴＩ  ＭＡＣ  ｃｏｎｔｒｏｌ  ｅｌｅｍｅｎｔ」であることを特徴とする請求項１４に記載の移動局。
【請求項１６】
前記送信部は、前記ＲＡＣＨ、又は、所定のＲＮＴＩ宛てに送信された物理下りリンク制御チャネルで指定された上りリンク無線リソースのうち、先に送信機会が得られた方を、前記衝突型チャネルとして用いて、前記応答信号を送信するように構成されていることを特徴とする請求項１０に記載の移動局。
【請求項１７】
前記設定情報は、前記複数のキャリアのうち前記移動局において監視すべき前記物理下りリンク制御チャネルについて示す情報を含むことを特徴とする請求項１０に記載の移動局。
【請求項１８】
前記設定情報は、前記複数のキャリアの各々と前記物理下りリンク制御チャネルに設定されるキャリア指示情報とを関連付ける情報を含むことを特徴とする請求項１０に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式の移動通信システムにおいて、ＣＡ（Ｃａｒｒｉｅｒ  Ａｇｇｒｅｇａｔｉｏｎ）が行われている場合には、移動局ＵＥは、無線基地局ｅＮＢとの間で、搬送波周波数が異なる複数の「Ｃｏｍｐｏｎｅｎｔ  Ｃａｒｒｉｅｒ（ＣＣ）」を用いて通信を行うように構成されている。
【０００３】
ここで、ＣＡが行われている場合、無線基地局ｅＮＢは、「ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）  ｍｏｎｉｔｏｒｉｎｇ  ｓｅｔ」によって、複数のＣＣのうち、移動局ＵＥにおいて監視すべきＣＣを限定することができる。
【０００４】
また、ＣＡが行われている場合、無線基地局ｅＮＢは、移動局ＵＥごとに、複数のＣＣの各々とＰＤＣＣＨに設定されるＣＩＦ（Ｃａｒｒｉｅｒ  Ｉｎｄｉｃａｔｉｏｎ  Ｆｉｅｌｄ）との対応関係を示す「ＣＩＦ  ｃｏｎｆｉｇｕｒａｔｉｏｎ」を設定することができる。
【０００５】
ＣＦＩを用いることで、無線基地局ｅＮＢは、「Ｃｒｏｓｓ  Ｃａｒｒｉｅｒ  Ｓｃｈｅｄｕｌｉｎｇ」を行うことができる。すなわち、無線基地局ｅＮＢは、ＣＡを構成するＣＣで送信されるＰＤＣＣＨを使って、ＣＡを構成する他のＣＣのＰＤＳＣＨ（Ｐｈｙｓｉｃａｌ  Ｄｏｗｎｌｉｎｋ  Ｃｏｎｔｒｏｌ  Ｃｈａｎｎｅｌ、物理下りリンク共有チャネル）やＰＵＳＣＨ（Ｐｈｙｓｉｃａｌ  Ｕｐｌｉｎｋ  Ｃｏｎｔｒｏｌ  Ｃｈａｎｎｅｌ、物理上りリンク共有チャネル）のリソースを指定することができる。
【先行技術文献】
【非特許文献】
【０００６】
【非特許文献１】３ＧＰＰ  ＴＳ３６.３３１  ｖ９.１.０
【非特許文献２】３ＧＰＰ  ＴＳ３６.３２１  ｖ９.１.０
【非特許文献３】３ＧＰＰ  ＴＳ３６.３００  ｖ９.２.０
【非特許文献４】３ＧＰＰ  ＴＲ３６.８１４  ｖ１.５.０
【発明の概要】
【発明が解決しようとする課題】
【０００７】
しかしながら、上述の移動通信システムでは、無線基地局ｅＮＢは、移動局ＵＥに対して、ＲＲＣ（Ｒａｄｉｏ  Ｒｅｓｏｕｒｃｅ  Ｃｏｎｔｒｏｌ）シグナリングによって、「ＰＤＣＣＨ  ｍｏｎｉｔｏｒｉｎｇ  ｓｅｔ」の変更を通知する場合、移動局ＵＥにおける「ＰＤＣＣＨ  ｍｏｎｉｔｏｒｉｎｇ  ｓｅｔ」の受信タイミング及び反映タイミングを把握することができない。
【０００８】
したがって、無線基地局ｅＮＢにおいて管理されている「ＰＤＣＣＨ  ｍｏｎｉｔｏｒｉｎｇ  ｓｅｔ」及び移動局ＵＥにおいて管理されている「ＰＤＣＣＨ  ｍｏｎｉｔｏｒｉｎｇ  ｓｅｔ」が一致していない場合には、移動局ＵＥは、無線基地局ｅＮＢによってＰＤＣＣＨを介して送信された下りリンク制御信号を受信することができないという問題点があった。
【０００９】
また、上述の移動通信システムでは、無線基地局ｅＮＢは、移動局ＵＥに対して、ＲＲＣシグナリングによって、「ＣＩＦ  ｃｏｎｆｉｇｕｒａｔｉｏｎ」の変更を通知する場合、移動局ＵＥにおける「ＣＩＦ  ｃｏｎｆｉｇｕｒａｔｉｏｎ」の受信タイミング及び反映タイミングを把握することができない。
【００１０】
したがって、無線基地局ｅＮＢにおいて管理されている「ＣＩＦ  ｃｏｎｆｉｇｕｒａｔｉｏｎ」及び移動局ＵＥにおいて管理されている「ＣＩＦ  ｃｏｎｆｉｇｕｒａｔｉｏｎ」が一致していない場合には、移動局ＵＥは、無線基地局ｅＮＢによってＰＤＳＣＨを介して送信された下りリンクデータ信号を受信することができないという問題点があった。
【００１１】
また、無線基地局ｅＮＢは、移動局ＵＥによってＰＵＳＣＨを介して送信された上りリンクデータ信号を受信することができないという問題点があった。
【００１２】
そこで、本発明は、上述の課題に鑑みてなされたものであり、ＣＡが行われている場合に、無線基地局ｅＮＢと移動局ＵＥとの間で管理するＰＤＣＣＨ及びＣＣに係る設定情報を一致させることができる移動通信方法及び移動局を提供することを目的とする。
【課題を解決するための手段】
【００１３】
本発明の第１の特徴は、移動局が、無線基地局との間で、搬送波周波数が異なる複数のキャリアを用いた通信を行う移動通信方法であって、前記無線基地局が、前記移動局に対して、前記複数のキャリア及び物理下りリンク制御チャネルに係る設定情報を含む再設定信号を送信する工程Ａと、前記移動局が、受信した前記再設定信号に応じて、衝突型チャネルを用いて、前記無線基地局に対して、該再設定信号に対する応答信号を送信する工程Ｂとを有することを要旨とする。
【００１４】
本発明の第２の特徴は、無線基地局との間で、搬送波周波数が異なる複数のキャリアを用いた通信を行うことができるように構成されている移動局であって、前記無線基地局から、前記複数のキャリア及び物理下りリンク制御チャネルに係る設定情報を含む再設定信号を受信するように構成されている受信部と、衝突型チャネルを用いて、前記無線基地局に対して、前記受信部によって受信された前記再設定信号に対する応答信号を送信するように構成されている送信部とを具備することを要旨とする。
【発明の効果】
【００１５】
以上説明したように、本発明によれば、ＣＡが行われている場合に、無線基地局ｅＮＢと移動局ＵＥとの間で管理するＰＤＣＣＨ及びＣＣに係る設定情報を一致させることができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動通信システムで行われるＣＡについて説明するための図である。
【図３】本発明の第１の実施形態に係る移動局の機能ブロック図である。
【図４】本発明の第１の実施形態に係る無線基地局の機能ブロック図である。
【図５】本発明の第１の実施形態に係る移動通信システムの動作を説明するためのシーケンス図である。
【図６】本発明の第１の実施形態に係る移動通信システムの動作を説明するためのシーケンス図である。
【発明を実施するための形態】
【００１７】
（本発明の第１の実施形態に係る移動通信システムの構成）
図１乃至図１０を参照して、本発明の第１の実施形態に係る移動通信システムの構成について説明する。本実施形態に係る移動通信システムは、ＬＴＥ-Ａｄｖａｎｃｅｄ方式の移動通信システムである。
【００１８】
図１に示すように、本実施形態に係る移動通信システムでは、移動局ＵＥは、無線基地局ｅＮＢに対して、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して制御信号を送信し、ＰＵＳＣＨを介してデータ信号を送信するように構成されている。
【００１９】
また、本実施形態に係る移動通信システムでは、無線基地局ｅＮＢは、移動局ＵＥに対して、ＰＤＣＣＨを介して制御信号を送信し、ＰＤＳＣＨを介してデータ信号を送信するように構成されている。
【００２０】
また、図２に示すように、本実施形態に係る移動通信システムでは、搬送周波数ｆ１乃至ｆ４の複数のＣＣが用いられるように構成されている。ここで、本実施形態に係る移動通信システムでは、移動局ＵＥは、所定数のＣＣ（図２の例では、例えば、搬送周波数ｆ１乃至ｆ３の３つのＣＣ）を用いたＣＡを行うことができる。
【００２１】
図３に示すように、移動局ＵＥは、受信部１１と、設定部１２と、送信部１３とを具備している。
【００２２】
受信部１１は、無線基地局ｅＮＢから、ＰＤＣＣＨを介して下りリンク制御信号を受信し、ＰＤＳＣＨを介して下りリンクデータ信号を受信するように構成されている。
【００２３】
また、受信部１１は、無線基地局ｅＮＢから、ＲＡＣＨ（Ｒａｎｄｏｍ  Ａｃｃｅｓｓ  Ｃｈａｎｎｅｌ）手順において、「ＲＡ  Ｒｅｓｐｏｎｓｅ」を受信するように構成されている。
【００２４】
具体的には、ＣＡが行われている場合に、受信部１１は、ＰＤＳＣＨを介して、無線基地局ｅＮＢから、複数のＣＣ及びＰＤＣＣＨに係る設定情報を含む「ＲＲＣ  Ｃｏｎｎｅｃｔｉｏｎ  Ｒｅｃｏｎｆｉｇｕｒａｔｉｏｎ」を受信するように構成されている。
【００２５】
例えば、複数のＣＣ及びＰＤＣＣＨに係る設定情報には、「ＰＤＣＣＨ  ｍｏｎｉｔｏｒｉｎｇ  ｓｅｔ」や「ＣＩＦ  ｃｏｎｆｉｇｕｒａｔｉｏｎ」等が含まれている。
【００２６】
ここで、「ＰＤＣＣＨ  ｍｏｎｉｔｏｒｉｎｇ  ｓｅｔ」は、ＣＡに係る複数のＣＣのうち移動局ＵＥにおいて監視すべきＰＤＣＣＨについて示す情報である。また、「ＣＩＦ  ｃｏｎｆｉｇｕｒａｔｉｏｎ」は、複数のＣＣの各々とＰＤＣＣＨに設定されるＣＩＦ（キャリア指示情報）とを関連付ける情報（例えば、３ビットの情報）である。なお、「ＰＤＣＣＨ  ｍｏｎｉｔｏｒｉｎｇ  ｓｅｔ」及び「ＣＩＦ  ｃｏｎｆｉｇｕｒａｔｉｏｎ」は、移動局ＵＥごとに設定可能である。
【００２７】
設定部１２は、受信部１１によって受信された設定情報に基づく設定を行うように構成されている。
【００２８】
例えば、設定部１２は、受信部１１によって受信された設定情報に含まれている「ＰＤＣＣＨ  ｍｏｎｉｔｏｒｉｎｇ  ｓｅｔ」に基づいて、ＣＡに係る複数のＣＣのうち移動局ＵＥにおいて監視すべきＰＤＣＣＨを設定するように構成されている。
【００２９】
すなわち、受信部１１は、設定部１２によって設定されたＰＤＣＣＨのみを介して、下りリンク制御信号を受信するように構成されている。
【００３０】
また、設定部１２は、受信部１１によって受信された設定情報に含まれている「ＣＩＦ  ｃｏｎｆｉｇｕｒａｔｉｏｎ」に基づいて、複数のＣＣの各々とＰＤＣＣＨに設定されるＣＩＦとを関連付けるように構成されている。
【００３１】
送信部１３は、無線基地局ｅＮＢに対して、ＰＵＣＣＨを介して上りリンク制御信号を受信し、ＰＵＳＣＨを介して上りリンクデータ信号を受信するように構成されている。
【００３２】
また、送信部１３は、無線基地局ｅＮＢに対して、ＲＡＣＨ手順において、「ＲＡ  Ｐｒｅａｍｂｌｅ」を送信するように構成されている。
【００３３】
ここで、送信部１３は、「ＲＲＣ  Ｃｏｎｎｅｃｔｉｏｎ  Ｒｅｃｏｎｆｉｇｕｒａｔｉｏｎ」によって指定された「Ｄｅｄｉｃａｔｅｄ  Ｐｒｅａｍｂｌｅ」を送信するように構成されていてもよい。
【００３４】
また、送信部１３は、「ＲＲＣ  Ｃｏｎｎｅｃｔｉｏｎ  Ｒｅｃｏｎｆｉｇｕｒａｔｉｏｎ」によって「Ｄｅｄｉｃａｔｅｄ  Ｐｒｅａｍｂｌｅ」が指定されていない場合には、「Ｃｏｎｔｅｎｔｉｏｎ  Ｐｒｅａｍｂｌｅ」を送信するように構成されていてもよい。
【００３５】
さらに、送信部１３は、衝突型チャネルを用いて、無線基地局ｅＮＢに対して、受信部１１によって受信された「ＲＲＣ  Ｃｏｎｎｅｃｔｉｏｎ  Ｒｅｃｏｎｆｉｇｕｒａｔｉｏｎ」に対する応答信号を送信するように構成されている。
【００３６】
ここで、送信部１３は、かかる応答信号として、移動局ＵＥに対して指定されている「Ｄｅｄｉｃａｔｅｄ  Ｐｒｅａｍｂｌｅ」及び「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００３７】
かかる場合、送信部１３は、衝突型チャネルとして、ＲＡＣＨを用いて、「Ｄｅｄｉｃａｔｅｄ  Ｐｒｅａｍｂｌｅ」を送信し、「ＲＡ  Ｒｅｓｐｏｎｓｅ」によって指定された上りリンク無線リソース（ＵＬ  ＰＲＢ：Ｐｈｙｓｉｃａｌ  Ｒｅｓｏｕｒｃｅ  Ｂｌｏｃｋ）を用いて、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されている。
【００３８】
また、送信部１３は、かかる応答信号として、移動局ＵＥの識別情報、例えば、「Ｃ-ＲＮＴＩ  ＭＡＣ  ｃｏｎｔｒｏｌ  ｅｌｅｍｅｎｔ」を付与した「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００３９】
かかる場合、送信部１３は、衝突型チャネルとして、「ｃｏｎｔｅｎｔｉｏｎ  ｂａｓｅｄ  ＵＬ  ｇｒａｎｔ」専用のＲＮＴＩ、すなわち、ＣＢ-ＲＮＴＩ（Ｃｏｎｔｅｎｔｉｏｎ  Ｂａｓｅｄ-Ｒａｄｉｏ  Ｎｅｔｗｏｒｋ  Ｔｅｍｐｏｒａｒｙ  Ｉｄｅｎｔｉｔｙ）宛てに送信されたＰＤＣＣＨで指定された上りリンク無線リソース（ＵＬ  ＰＲＢ）を用いて、「Ｃ-ＲＮＴＩ  ＭＡＣ  ｃｏｎｔｒｏｌ  ｅｌｅｍｅｎｔ」を付与した「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されている。
【００４０】
さらに、送信部１３は、かかる応答信号として、「Ｃｏｎｔｅｎｔｉｏｎ  Ｐｒｅａｍｂｌｅ」、及び、「Ｃ-ＲＮＴＩ  ＭＡＣ  ｃｏｎｔｒｏｌ  ｅｌｅｍｅｎｔ」を付与した「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００４１】
かかる場合、送信部１３は、衝突型チャネルとして、ＲＡＣＨを用いて、「Ｃｏｎｔｅｎｔｉｏｎ  Ｐｒｅａｍｂｌｅ」を送信し、ＣＢ-ＲＮＴＩ宛てに送信されたＰＤＣＣＨで指定された上りリンク無線リソース（ＵＬ  ＰＲＢ）を用いて、「Ｃ-ＲＮＴＩ  ＭＡＣ  ｃｏｎｔｒｏｌ  ｅｌｅｍｅｎｔ」を付与した「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されている。
【００４２】
また、送信部１３は、衝突型チャネルとして、ＲＡＣＨ、又は、ＣＢ-ＲＮＴＩ宛てに送信されたＰＤＣＣＨで指定された上りリンク無線リソース（ＵＬ  ＰＲＢ）のうち、先に取得した方を用いて、「ＲＲＣ  Ｃｏｎｎｅｃｔｉｏｎ  Ｒｅｃｏｎｆｉｇｕｒａｔｉｏｎ」に対する応答信号を送信するように構成されていてもよい。
【００４３】
なお、送信部１３は、受信部１１によってＰＤＣＣＨを介して受信された「ＵＬ  ｇｒａｎｔ」に基づいて、ＰＵＳＣＨを介して、上りリンクデータ信号を送信するように構成されている。かかる場合、送信部１３は、当該ＰＤＣＣＨに設定されているＣＩＦに対応するＣＣを用いて、上りリンクデータ信号を送信するように構成されている。
【００４４】
図４に示すように、無線基地局ｅＮＢは、Ｌ１/Ｌ２処理部２１と、ＲＲＣ処理部２２と、ＤＲＢ（Ｄａｔａ  Ｒａｄｉｏ  Ｂｅａｒｅｒ）処理部２３とを具備している。
【００４５】
Ｌ１/Ｌ２処理部２１は、物理レイヤの処理やスケジューリング処理等を行うように構成されている。
【００４６】
ＲＲＣ処理部２２は、Ｃ-ｐｌａｎｅに係る制御処理を行うように構成されており、ＤＲＢ処理部２３は、Ｕ-ｐｌａｎｅデータの送受信処理を行うように構成されている。
【００４７】
（本発明の第１の実施形態に係る移動通信システムの動作）
図５及び図６を参照して、本発明の第１の実施形態に係る移動通信システムの動作について説明する。
【００４８】
第１に、図５を参照して、本発明の第１の実施形態に係る移動通信システムの動作の第１の例について説明する。
【００４９】
図５に示すように、ステップＳ１００１において、無線基地局ｅＮＢのＲＲＣ処理部２２は、移動局ＵＥとの間で、「ＲＲＣ  Ｃｏｎｎｅｃｔｉｏｎ  Ｓｅｔｕｐ処理」を行う。
【００５０】
ステップＳ１００２において、無線基地局ｅＮＢのＲＲＣ処理部２２は、無線基地局ｅＮＢのＬ１/Ｌ２処理部２１に対して、Ｕ-ｐｌａｎｅを開始するための「Ｐｒｉｍｉｔｉｖｅ」を送信する。
【００５１】
その結果、無線基地局ｅＮＢのＤＲＢ処理部２３と無線基地局ｅＮＢのＬ１/Ｌ２処理部２１との間、及び、無線基地局ｅＮＢのＬ１/Ｌ２処理部２１と移動局ＵＥとの間で、Ｕ-ｐｌａｎｅのデータ送受信が開始される。
【００５２】
その後、ステップＳ１００３において、無線基地局ｅＮＢのＲＲＣ処理部２２は、無線基地局ｅＮＢのＬ１/Ｌ２処理部２１に対して、Ｕ-ｐｌａｎｅを一時停止するための「Ｐｒｉｍｉｔｉｖｅ」を送信する。
【００５３】
ステップＳ１００４において、無線基地局ｅＮＢのＲＲＣ処理部２２は、移動局ＵＥに対して、ＣＡにおいて追加すべきＣＣを示す情報や「ＣＩＦ  Ｃｏｎｆｉｇｕｒａｔｉｏｎ」の変更内容や「ＰＤＣＣＨ  ｍｏｎｉｔｏｒｉｎｇ  ｓｅｔ」の変更内容等を含む「ＲＲＣ  Ｃｏｎｎｅｃｔｉｏｎ  Ｒｅｃｏｎｆｉｇｕｒａｔｉｏｎ」を送信し、所定タイマを起動する。
【００５４】
移動局ＵＥは、ステップＳ１００５において、ＲＡＣＨを用いて、無線基地局ｅＮＢのＬ１/Ｌ２処理部２１に対して、「ＲＲＣ  Ｃｏｎｎｅｃｔｉｏｎ  Ｒｅｃｏｎｆｉｇｕｒａｔｉｏｎ」に対する応答信号として、「ＲＡ  Ｐｒｅａｍｂｌｅ」を送信し、ステップＳ１００６において、無線基地局ｅＮＢのＬ１/Ｌ２処理部２１から、「ＲＡ  Ｒｅｓｐｏｎｓｅ」を取得する。
【００５５】
ステップＳ１００７において、移動局ＵＥは、「ＲＡ  Ｒｅｓｐｏｎｓｅ」によって指定された上りリンク無線リソース（ＵＬ  ＰＲＢ）を介して、無線基地局ｅＮＢのＲＲＣ処理部２２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５６】
ここで、ステップＳ１００５において、「ＲＡ  Ｐｒｅａｍｂｌｅ」として「Ｃｏｎｔｅｎｔｉｏｎ  Ｐｒｅａｍｂｌｅ」が送信された場合、移動局ＵＥは、「ＲＡ  Ｒｅｓｐｏｎｓｅ」によって指定された上りリンク無線リソース（ＵＬ  ＰＲＢ）を介して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信すると同時に、無線基地局ｅＮＢのＬ１/Ｌ２処理部２１に対して、「Ｃ-ＲＮＴＩ  ＭＡＣ  ｃｏｎｔｒｏｌ  ｅｌｅｍｅｎｔ」を送信する。
【００５７】
そして、無線基地局ｅＮＢのＬ１/Ｌ２処理部２１は、移動局ＵＥに対して、「ＲＲＣ  Ｃｏｎｎｅｃｔｉｏｎ  Ｃｏｎｆｉｇｕｒａｔｉｏｎ  Ｃｏｍｐｌｅｔｅ」に対する「ＭＡＣ  ＣＥ（ｃｏｎｔｅｎｔｉｏｎ  ｒｅｓｏｌｕｔｉｏｎ）」を送信する。
【００５８】
無線基地局ｅＮＢは、移動局ＵＥから「Ｃ-ＲＮＴＩ  ＭＡＣ  ｃｏｎｔｒｏｌ  ｅｌｅｍｅｎｔ」を受信することによって、移動局ＵＥを一意に識別することができ、更に「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信することによって、移動局ＵＥによって「ＲＲＣ  Ｃｏｎｎｅｃｔｉｏｎ  Ｒｅｃｏｎｆｉｇｕｒａｔｉｏｎ」が受信され正しく処理されたことを把握することができる。
【００５９】
よって、その後の通信は。「ＲＲＣ  Ｃｏｎｎｅｃｔｉｏｎ  Ｒｅｃｏｎｆｉｇｕｒａｔｉｏｎ」で設定した「ＰＤＣＣＨ  ｍｏｎｉｔｏｒｉｎｇ  ｓｅｔ」や「ＣＩＦ  ｃｏｎｆｉｇｕｒａｔｉｏｎ」を用いて行うことができる。
【００６０】
また、ステップＳ１００５において、「ＲＡ  Ｐｒｅａｍｂｌｅ」として「Ｄｅｄｉｃａｔｅｄ  Ｐｒｅａｍｂｌｅ」が送信された場合、無線基地局ｅＮＢのＬ１/Ｌ２処理部２１は、受信した「Ｄｅｄｉｃａｔｅｄ  Ｐｒｅａｍｂｌｅ」から、移動局ＵＥを一意に識別することができる。
【００６１】
そして、無線基地局ｅＮＢは、「ＲＡ  Ｒｅｓｐｏｎｓｅ」にて指定した上りリンク無線リソース（ＵＬ  ＰＲＢ）を介して「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信することによって、移動局ＵＥによって「ＲＲＣ  Ｃｏｎｎｅｃｔｉｏｎ  Ｒｅｃｏｎｆｉｇｕｒａｔｉｏｎ」が受信され正しく処理されたことを把握することができる。
【００６２】
よって、その後の通信は、「ＲＲＣ  Ｃｏｎｎｅｃｔｉｏｎ  Ｒｅｃｏｎｆｉｇｕｒａｔｉｏｎ」で設定した「ＰＤＣＣＨ  ｍｏｎｉｔｏｒｉｎｇ  ｓｅｔ」や「ＣＩＦ  ｃｏｎｆｉｇｕｒａｔｉｏｎ」を用いて行うことができる。
【００６３】
無線基地局ｅＮＢのＲＲＣ処理部２２は、所定タイマが満了する前に、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信すると、ステップＳ１００８において、無線基地局ｅＮＢのＬ１/Ｌ２処理部２１に対して、Ｕ-ｐｌａｎｅを再開するための「Ｐｒｉｍｉｔｉｖｅ」を送信する。
【００６４】
その結果、無線基地局ｅＮＢのＤＲＢ処理部２３と無線基地局ｅＮＢのＬ１/Ｌ２処理部２１との間、及び、無線基地局ｅＮＢのＬ１/Ｌ２処理部２１と移動局ＵＥとの間で、Ｕ-ｐｌａｎｅが再開される。
【００６５】
なお、無線基地局ｅＮＢのＲＲＣ処理部２２は、所定タイマが満了する前に、「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信しなかった場合には、Ｕ-ｐｌａｎｅの再開処理を行ったり、Ｕ-ｐｌａｎｅを停止したまま再接続待ち状態に遷移したりといった動作を行う。
【００６６】
第２に、図６を参照して、本発明の第１の実施形態に係る移動通信システムの動作の第２の例について説明する。
【００６７】
図６に示すように、ステップＳ２００１乃至Ｓ２００４の動作は、図５に示すステップＳ１００１乃至Ｓ１００４の動作と同一である。
【００６８】
ステップＳ２００５において、無線基地局ｅＮＢのＬ１/Ｌ２処理部２１は、移動局ＵＥに対して、ＣＢ-ＲＮＴＩが設定されたＰＤＣＣＨを介して、上りリンク無線リソースを指定する「Ｃｏｎｔｅｎｔｉｏｎ  ｂａｓｅｄ  ＵＬ  ｇｒａｎｔ」を送信する。
【００６９】
ステップＳ２００６において、移動局ＵＥは、「Ｃｏｎｔｅｎｔｉｏｎ  ｂａｓｅｄ  ＵＬ  ｇｒａｎｔ」によって指定された上りリンク無線リソース（ＵＬ  ＰＲＢ）を介して、無線基地局ｅＮＢのＲＲＣ処理部２２に対して、「ＲＲＣ  Ｃｏｎｎｅｃｔｉｏｎ  Ｒｅｃｏｎｆｉｇｕｒａｔｉｏｎ」に対する応答信号として、「ＲＲＣ  Ｃｏｎｎｅｃｔｉｏｎ  Ｃｏｎｆｉｇｕｒａｔｉｏｎ  Ｃｏｍｐｌｅｔｅ」を送信する。
【００７０】
この際に、移動局ＵＥは、「ＲＲＣ  Ｃｏｎｎｅｃｔｉｏｎ  Ｃｏｎｆｉｇｕｒａｔｉｏｎ  Ｃｏｍｐｌｅｔｅ」に「Ｃ-ＲＮＴＩ  ＭＡＣ  ｃｏｎｔｒｏｌ  ｅｌｅｍｅｎｔ」を付与して送信する。
【００７１】
無線基地局ｅＮＢは、移動局ＵＥから「Ｃ-ＲＮＴＩ  ＭＡＣ  ｃｏｎｔｒｏｌ  ｅｌｅｍｅｎｔ」を受信することによって、移動局ＵＥを一意に識別することができ、更に「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信することによって、移動局ＵＥによって「ＲＲＣ  Ｃｏｎｎｅｃｔｉｏｎ  Ｒｅｃｏｎｆｉｇｕｒａｔｉｏｎ」が受信され正しく処理されたことを把握することができる。
【００７２】
よって、その後の通信は、「ＲＲＣ  Ｃｏｎｎｅｃｔｉｏｎ  Ｒｅｃｏｎｆｉｇｕｒａｔｉｏｎ」で設定した「ＰＤＣＣＨ  ｍｏｎｉｔｏｒｉｎｇ  ｓｅｔ」や「ＣＩＦ  ｃｏｎｆｉｇｕｒａｔｉｏｎ」を用いて行うことができる。
【００７３】
ステップＳ２００７において、無線基地局ｅＮＢのＬ１/Ｌ２処理部２１は、移動局ＵＥに対して、「ＲＲＣ  Ｃｏｎｎｅｃｔｉｏｎ  Ｃｏｎｆｉｇｕｒａｔｉｏｎ  Ｃｏｍｐｌｅｔｅ」に対する「ＭＡＣ  ＣＥ（ｃｏｎｔｅｎｔｉｏｎ  ｒｅｓｏｌｕｔｉｏｎ）」を送信する。
【００７４】
無線基地局ｅＮＢのＲＲＣ処理部２２は、所定タイマが満了する前に、「ＲＲＣ  Ｃｏｎｎｅｃｔｉｏｎ  Ｃｏｎｆｉｇｕｒａｔｉｏｎ  Ｃｏｍｐｌｅｔｅ」を受信すると、ステップＳ２００８において、無線基地局ｅＮＢのＬ１/Ｌ２処理部２１に対して、Ｕ-ｐｌａｎｅを再開するための「Ｐｒｉｍｉｔｉｖｅ」を送信する。
【００７５】
その結果、無線基地局ｅＮＢのＤＲＢ処理部２３と無線基地局ｅＮＢのＬ１/Ｌ２処理部２１との間、及び、無線基地局ｅＮＢのＬ１/Ｌ２処理部２１と移動局ＵＥとの間で、Ｕ-ｐｌａｎｅが再開される。
【００７６】
なお、無線基地局ｅＮＢのＲＲＣ処理部２２は、所定タイマが満了する前に、「ＲＲＣ  Ｃｏｎｎｅｃｔｉｏｎ  Ｃｏｎｆｉｇｕｒａｔｉｏｎ  Ｃｏｍｐｌｅｔｅ」を受信しなかった場合には、Ｕ-ｐｌａｎｅの再開処理を行ったり、Ｕ-ｐｌａｎｅを停止したまま再接続待ち状態に遷移したりといった動作を行う。
【００７７】
（本発明の第１の実施形態に係る移動通信システムの作用効果）
本実施形態に係る移動通信システムによれば、移動局ＵＥは、「ＲＲＣ  Ｃｏｎｎｅｃｔｉｏｎ  Ｃｏｎｆｉｇｕｒａｔｉｏｎ」を受信した場合に、無線基地局ｅＮＢに対して、衝突型チャネルを用いて、「ＲＲＣ  Ｃｏｎｎｅｃｔｉｏｎ  Ｒｅｃｏｎｆｉｇｕｒａｔｉｏｎ」に対する移動局ＵＥの識別情報を含む応答信号を送信するように構成されているため、無線基地局ｅＮＢは、移動局ＵＥにおける「ＲＲＣ  Ｃｏｎｎｅｃｔｉｏｎ  Ｃｏｎｆｉｇｕｒａｔｉｏｎ」の受信及び反映タイミングを把握することができる。
【００７８】
以上に述べた本実施形態の特徴は、以下のように表現されていてもよい。
【００７９】
本実施形態の第１の特徴は、移動通信方法であって、移動局ＵＥが、無線基地局ｅＮＢとの間で、搬送波周波数が異なる複数のＣＣ（キャリア）を用いた通信（ＣＡ）を行う移動通信方法であって、無線基地局ｅＮＢが、移動局ＵＥに対して、複数のＣＣ及びＰＤＣＣＨ（物理下りリンク制御チャネル）に係る設定情報を含む「ＲＲＣ  Ｃｏｎｎｅｃｔｉｏｎ  Ｒｅｃｏｎｆｉｇｕｒａｔｉｏｎ（再設定信号）」を送信する工程Ａと、移動局ＵＥが、受信した「ＲＲＣ  Ｃｏｎｎｅｃｔｉｏｎ  Ｒｅｃｏｎｆｉｇｕｒａｔｉｏｎ」に応じて、衝突型チャネルを用いて、無線基地局ｅＮＢに対して、「ＲＲＣ  Ｃｏｎｎｅｃｔｉｏｎ  Ｒｅｃｏｎｆｉｇｕｒａｔｉｏｎ」に対する応答信号を送信する工程Ｂとを有することを要旨とする。
【００８０】
本実施形態の第１の特徴において、工程Ｂにおいて、移動局ＵＥは、衝突型チャネルとして、ＲＡＣＨを用いて、上述の応答信号を送信してもよい。
【００８１】
本実施形態の第１の特徴において、工程Ｂにおいて、移動局ＵＥは、上述の応答信号として、無線基地局ｅＮＢによって移動局ＵＥに対して指定されている「Ｄｅｄｉｃａｔｅｄ  ＲＡ  Ｐｒｅａｍｂｌｅ（個別ＲＡプリアンブル）」を送信してもよい。
【００８２】
かかる場合、例えば、上述の応答信号は、「Ｄｅｄｉｃａｔｅｄ  ＲＡ  Ｐｒｅａｍｂｌｅ、及び、「Ｃ-ＲＮＴＩ  ＭＡＣ  ｃｏｎｔｒｏｌ  ｅｌｅｍｅｎｔ」を付与しない「ＲＲＣ  Ｃｏｎｎｅｃｔｉｏｎ  Ｒｅｃｏｎｆｉｇｕｒａｔｉｏｎ  Ｃｏｍｐｌｅｔｅ」であってもよい。
【００８３】
本実施形態の第１の特徴において、工程Ｂにおいて、移動局ＵＥは、衝突型チャネルとして、「ｃｏｎｔｅｎｔｉｏｎ  ｂａｓｅｄ  ＵＬ  ｇｒａｎｔ」専用のＲＮＴＩ、すなわち、ＣＢ-ＲＮＴＩ（所定のＲＮＴＩ）宛てに送信されたＰＤＣＣＨ（物理下りリンク制御チャネル）で指定された上りリンク無線リソースを用いて、上述の応答信号を送信してもよい。
【００８４】
本実施形態の第１の特徴において、工程Ｂにおいて、移動局ＵＥは、上述の応答信号に移動局ＵＥの識別情報を含めてもよい。本実施形態の第１の特徴において、上述の移動局ＵＥの識別情報は、「Ｃ-ＲＮＴＩ  ＭＡＣ  ｃｏｎｔｒｏｌ  ｅｌｅｍｅｎｔ」であってもよい。
【００８５】
かかる場合、例えば、上述の応答信号は、「Ｃ-ＲＮＴＩ  ＭＡＣ  ｃｏｎｔｒｏｌ  ｅｌｅｍｅｎｔ」を付与した「ＲＲＣ  Ｃｏｎｎｅｃｔｉｏｎ  Ｒｅｃｏｎｆｉｇｕｒａｔｉｏｎ  Ｃｏｍｐｌｅｔｅ」であってもよい。
【００８６】
なお、上述の応答信号は、「Ｃｏｎｔｅｎｔｉｏｎ  ＲＡ  Ｐｒｅａｍｂｌｅ」、及び、「Ｃ-ＲＮＴＩ  ＭＡＣ  ｃｏｎｔｒｏｌ  ｅｌｅｍｅｎｔ」を付与した「ＲＲＣ  Ｃｏｎｎｅｃｔｉｏｎ  Ｒｅｃｏｎｆｉｇｕｒａｔｉｏｎ  Ｃｏｍｐｌｅｔｅ」であってもよい。
【００８７】
本実施形態の第１の特徴において、工程Ｂにおいて、移動局ＵＥは、ＲＡＣＨ、又は、ＣＢ-ＲＮＴＩ宛てに送信されたＰＤＣＣＨで指定された上りリンク無線リソースのうち、先に送信機会が得られた方を、衝突型チャネルとして用いて、上述の応答信号を送信してもよい。
【００８８】
本実施形態の第２の特徴は、無線基地局ｅＮＢとの間で、搬送波周波数が異なる複数のＣＣを用いた通信を行うことができるように構成されている移動局ＵＥであって、無線基地局ｅＮＢから、複数のＣＣ及びＰＤＣＣＨに係る設定情報を含む「ＲＲＣ  Ｃｏｎｎｅｃｔｉｏｎ  Ｒｅｃｏｎｆｉｇｕｒａｔｉｏｎ」を受信するように構成されている受信部１１と、衝突型チャネルを用いて、無線基地局ｅＮＢに対して、「ＲＲＣ  Ｃｏｎｎｅｃｔｉｏｎ  Ｒｅｃｏｎｆｉｇｕｒａｔｉｏｎ」に対する応答信号を送信するように構成されている送信部１３とを具備することを要旨とする。
【００８９】
本実施形態の第２の特徴において、送信部１３は、衝突型チャネルとして、ＲＡＣＨを用いて、上述の応答信号を送信するように構成されていてもよい。
【００９０】
本実施形態の第２の特徴において、送信部１３は、上述の応答信号として、無線基地局ｅＮＢによって移動局ＵＥに対して指定されている「Ｄｅｄｉｃａｔｅｄ  ＲＡ  Ｐｒｅａｍｂｌｅ」を送信するように構成されていてもよい。
【００９１】
本実施形態の第２の特徴において、送信部１３は、衝突型チャネルとして、ＣＢ-ＲＮＴＩ宛てに送信されたＰＤＣＣＨで指定された上りリンク無線リソースを用いて、上述の応答信号を送信するように構成されていてもよい。
【００９２】
本実施形態の第２の特徴において、送信部１３は、上述の応答信号に移動局ＵＥの識別情報を含めるように構成されていてもよい。本実施形態の第２の特徴において、移動局ＵＥの識別情報は、「Ｃ-ＲＮＴＩ  ＭＡＣ  ｃｏｎｔｒｏｌ  ｅｌｅｍｅｎｔ」であってもよい。
【００９３】
本実施形態の第２の特徴において、送信部１３は、ＲＡＣＨ、又は、ＣＢ-ＲＮＴＩ宛てに送信されたＰＤＣＣＨで指定された上りリンク無線リソースのうち、先に送信機会が得られた方を、衝突型チャネルとして用いて、上述の応答信号を送信するように構成されていてもよい。
【００９４】
本実施形態の第１及び第２の特徴において、設定情報は、複数のＣＣのうち移動局ＵＥにおいて監視すべきＰＤＣＣＨについて示す情報（ＰＤＣＣＨ  ｍｏｎｉｔｏｒｉｎｇ  ｓｅｔ）を含んでもよい。
【００９５】
本実施形態の第１及び第２の特徴において、設定情報は、複数のＣＣの各々とＰＤＣＣＨに設定されるキャリア指示情報（ＣＩＦ）とを関連付ける情報（ＣＩＦ  ｃｏｎｆｉｇｕｒａｔｉｏｎ）を含んでもよい。
【００９６】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００９７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１００】
ＵＥ…移動局
１１…受信部
１２…設定部
１３…送信部
ｅＮＢ…無線基地局
２１…Ｌ１/Ｌ２処理部
２２…ＲＲＣ処理部
２３…ＤＲＢ処理部
【図１】
2011166710.tif 000003
【図２】
2011166710.tif 000004
【図３】
2011166710.tif 000005
【図４】
2011166710.tif 000006
【図５】
2011166710.tif 000007
【図６】
2011166710.tif 000008